(57)【要約】  囲いは電子器具を囲うために提供されており、この囲いは異なるタイプの器具の異なる冷却および換気の要求に適合する。囲いは囲いを通しての前から後への冷却空気および囲いの一側から反対側への横から横への構成を支持するように構成配置されている。囲いはこれにより単一囲い手段内に情報技術（ＩＴ）器具のような冷却のために前から後への空気流を使用する部品、およびあるタイプの遠距離通信器具のような横から横への空気流を使用する部品のための冷却空気手段を提供し得る。囲いはこれによりＩＴおよび遠距離通信器具の混合体を支持して、ネットワークルームおよびデータセンター構造内の融通性および適合性を提供している。囲いは更に冷却のために器具により使用された取入れ空気を動作中に器具により内部へ排出された排出空気から分離するように構成されている。その結果として、囲いは器具の充分な冷却を達成しかつ器具の過熱を阻止／最小化する。
2007502027.tif 000002
【特許請求の範囲】
【請求項１】
器具を収容するための囲いであって：
ハウジング、このハウジングは頂測部、底測部、第１側部、第２側部、および前側部を備えており、底側部および第１側部の少なくとも一つはその中に少なくとも一つの開口が形成されてハウジングの内部の前部分内へ冷却用空気を受領し、かつ後側部および頂測部の少なくとも一つがその中にハウジングの内部の後部分内からハウジングの外側領域への空気の排出を許容する少なくとも一つの開口が形成され；
内側フレーム、このフレームはハウジングの内部に配置されかつ第１側部および第２側部から隔てられかつ内側フレームにより形成された器具領域内に１または２以上の器具の装着を許容するように固着されており；および 
第１空気空間、この空間はハウジングの内部フレームおよび第１側部の間の内側フレームの第１側部に沿い配置されており、第１空気空間はハウジングの内部の前部分と流体連通していて開口からの冷却用空気を受領しかつ内側フレームの第１側部に沿う空気を収容するように構成されて空気が第１空気空間から内側フレーム内の器具内へ流れ得るようにされている、
を包含している、囲い。
【請求項２】
更に第２空気空間を包含し、この第２空間は内側フレームの第２側部に沿い内側フレームおよびハウジングの第２側部の間に配置されており、第２空気空間はハウジングの内側の後部分と流体連通しかつ内側フレーム内の器具からの排出空気を受領するようにされている、請求項１に記載の囲い。
【請求項３】
第１空気空間が後部を備え、その後部は第１空気空間およびハウジングの内部の後部分の間に空気流ブロック障壁を備えている、請求項２に記載の囲い。
【請求項４】
第２空気空間は前部分を備え、この前部分が第２空気空間およびハウジングの内部の前部分の間に空気流ブロック障壁を備えている、請求項３に記載の囲い。
【請求項５】
更に第１仕切りを包含し、この仕切りは第１空気空間および内側フレームの第１側部の間に取り外し可能に装着されて第１空気空間から内側フレームの器具領域の部分内への空気流入をブロックする、請求項４に記載の囲い。
【請求項６】
更に第２仕切りを包含し、この仕切りは第２空気空間および内側フレームの第２側部の間に取り外し可能に装着されて内側フレームの器具領域の部分から第２空気空間内への空気流入をブロックする、請求項５に記載の囲い。
【請求項７】
更に後部パネルおよび頂部パネルの少なくとも一つに連結された排出ユニットを包含し、この排出ユニットが収容された少なくとも一つのファンを備えて囲いの内部から空気を吸う、請求項２に記載の囲い。
【請求項８】
更に第１仕切りを包含し、この仕切りは第１空気空間および内側フレームの第１側部の間に取り外し可能に装着されて第１空気空間から内側フレームの器具領域の部分内への空気流入をブロックする、請求項２に記載の囲い。
【請求項９】
前部分が内側フレームに装着された器具に冷却用空気を提供するように構成され、そこで器具が前から後への冷却に適合されている、請求項１に記載の囲い。
【請求項１０】
第１装置および第２装置の冷却の方法であって、各装置が器具囲い内に装着されており、ここで第１装置は前から後への冷却のために、かつ第２装置は横から横への冷却のために構成されており、方法が：
器具囲いの内側前部分内へ冷却空気を受領し；
内側前部分から第１装置を通して囲いの後部内側部分内へ空気を引き；
内側前部分から囲いの側部内側部分へ空気を引き；
側部内側部分から第２装置を通して第２側部内側部分へ空気を引き；
第２側部内側部分からおよび後部内側部分から囲いの頂部および囲いの後部の少なくとも一つで外へ空気を排出し：および
装置から排出される空気を装置内へ吸入される空気から分離する工程、
を包含している方法。
【請求項１１】
囲いが第１装置および第２装置を収容している内側領域を有する器具フレームを備え、かつ方法が更に側部内側部分および器具フレームの内側領域の間に第１仕切りを取り外し可能に装着する工程を備えて側部内側部分および内側領域の部分の間の空気流をブロックするようにした、請求項１０に記載の方法。
【請求項１２】
更に、器具フレーム内に第３装置を挿入し、この第３装置が横から横への冷却のために構成され；および
第３装置を通る横から横への空気流を許容するために第１仕切りを取り外す工程、を包含している、請求項１１に記載の方法。
【請求項１３】
器具を収容するための器具囲いであって：
外側ハウジング；
内側フレーム、このフレームはハウジングの内部に配置されかつハウジング内に固着されて内側フレームにより形成された器具領域内に器具部品の装着を許容し、器具部品は前から後への冷却方式を有する第１タイプの器具および横から横への冷却方式を有する第２のタイプの器具を備え；および
外側ハウジングの前部内側部分から外側ハウジングの後部内側部分への空気流を容易化するための手段、その手段は第１タイプの器具が内側フレーム内に装着された時、横から横への冷却が達成されかつ第２タイプの器具が内側フレーム内に装着された時、前から後への冷却が達成され得る、
を包含している、器具囲い。
【請求項１４】
器具囲いであって：
前側部、第１側部、第２側部および後側部を有する２３インチ囲いハウジング；
囲いハウジングの内側領域内に配置された１９インチ幅の器具フレーム、このフレームは第１側部領域が囲いハウジングの前側部および器具フレームの第１側部の間に形成され、第２側部領域は器具フレームの第２側部および囲いハウジングの第２側部の間に形成され、前部領域は囲いハウジングの前側部および器具フレームの前側部の間に形成され、かつ後部領域は囲いハウジングの後側部および器具フレームの後側部の間に形成されており；
器具フレームの第１側部および囲いハウジングの第１側部の間に配置された第１内側パネル、このパネルは第１側部領域および後部領域の間に実質的な気密シールを提供しており；および
器具フレームの第２側部および囲いハウジングの第２側部の間に配置された第２内側パネル、このパネルは第２側部領域および前領域の間に実質的に気密なシールを提供している、
を包含している囲い。
【請求項１５】
囲いハウジングが頂部および底部を備え、かつ前側部および底側部の少なくとも一つが開口を備えて囲い内への空気流を許容し、かつ頂部および後側部の少なくとも一つが開口を備えて囲いの外への空気流を許容する、請求項１４に記載の囲い。
【請求項１６】
更に囲いの頂部および囲いの後側部の一つに装着された少なくとも一つのファンを包含して後領域から空気を引く、請求項１５に記載の囲い。
【請求項１７】
更に第１側部領域および器具フレームの内側領域の間に取り外し可能に装着された少なくとも一つのパネルを包含して第１側部領域および器具フレームの内側領域の部分の間の空気流をブロックするようにした、請求項１４に記載の囲い。
【発明の詳細な説明】
【技術分野】
【０００１】
情報技術（ＩＴ）器具はデータセンターおよびネットワーク設備におけるより効果的なＩＴ環境創生への挑戦を提供している。サーバーおよびネットワーク器具を採用しているハイパワー密度の用途のために設計された器具囲いは効果的なケーブル処理およびパワー分配ばかりでなく、むしろ器具の適当なかつ信頼性のある動作を確保するための好適な冷却および換気を提供しなければならない。そのような高温発生用途での使用のための器具ラック囲いは第１に冷却および換気のためにＩＴにより使用されている標準的な前から後への空気流パターンを収容するために前から後への空気流を提供するように構成設置される。しかしながら、ＩＴラックおよび囲いは概ねある種の遠距離通信器具のような、典型的には横から横への空気流を使用する器具のためには好適な冷却および換気を提供することはできない。ＩＴ部品囲いが横から横への空気流を使用する装備および前から後への空気流を使用する装備を備えている時には、横から横への空気取入れ式装備は一般的には囲い内部を全ての装備の排出孔と共用しなければならない。その結果として、横から横への空気流を使用する装備の空気取入れはしばしば装備の好適な動作のために要する充分な冷却空気を受領することができない。不充分な冷却空気は温度超過による運転停止および信頼不能を起こしかつ装備の寿命の低減を来す。前から後への空気流を提供するように構成されたＩＴ装備およびラックは、従って、ある種の遠距離通信部品のような、冷却のために横から横への空気流を使用する電子装備のあるタイプの空気流パターンには基本的に相容れない。
【０００２】
この問題に対する従来型の解決方法は、例えば、遠距離通信装備を開放フレームラック内に装着して部品を通る空気の循環を促進している。開放フレーム構造は熱いおよび暖かい排出空気を囲いまたは装備用空気取入れ口周りに閉じこめない；しかしながら、そのような構造は排出空気が装備の空気取入れ口へ循環することを阻止できずおよび、そのため、不充分な冷却および装備の過熱の問題を克服できない。並列のラック構造内に配置された遠距離通信装備は近接または隣接した装備から排出された排出空気を取入れ口へ向かわせ易く、その結果としては、操作中における過熱の危険を増大させる。
【０００３】
別の解決としては囲いのハウジングの頂部内にファンを組合せてラック内から熱いまたは暖かい空気を垂直上方へ引き排出空気を囲いの頂部を通して排出する。そのような頂部装着ファンは、しかしながら、ラック内に装着されている全ての器具の空気取入れ口への充分な冷却空気の供給を確保し得ない。頂部装着ファンは排出空気がそのような部品の空気取入れ口へ循環することをも阻止し得ない。頂部装着ファンは更にラックを通る空気流を暴走させかつ排出空気と冷却空気の顕著な混合を起こし得る。排出空気と冷却空気の混合はネットワークルームまたはデータセンターの冷却システムの効率を減少させ得る。頂部装着ファンの使用はデータおよび動力用配線を含む他の機能のための囲い頂部の使用可能なスペースを制限する。更に、頂部装着ファンはファン空気流との干渉により囲いの上部内に装着され得る器具のサイズおよび配置を限定する。
【０００４】
更に、ネットワークルームまたはデータセンターの冷却システムの全体的な効率、コスト、信頼性および冷却能力は器具の動作中における器具囲い内の熱いおよび暖かい排出空気から冷却空気を分離する能力に直接的に関連している。冷却空気からの排出空気の分離はラック囲いの好適な配置の結果である；しかしながら、並列空気流を使用する電子器具のための現在の囲いおよびラック構造および冷却解決法は排出空気を冷却用空気から分離することはできない。過去においては、排出空気と冷却空気の循環は問題ではなく、何故ならば、例えば遠距離通信器具のような器具のパワー密度は１ラックに付き平均１ＫＷより顕著に低いからであった。最近の遠距離通信器具の構造は、しかしながら、１ラックに付き６ＫＷまたはそれより多くを消費し、かつ、このため、効率的な冷却方法が所望されている。
【発明の開示】
【０００５】
一般的に、一つの形態において、本発明は電子器具のための改良された囲い手段を提供し、上記手段は異なるタイプの器具の冷却および換気の要求を満たすものである。一つの形態において、本発明は動作中に器具から排出される排出空気から冷却用取入れ空気を分離するように構成された囲い手段を提供して、充分な冷却を容易化しかつ器具の過熱を阻止している。別の形態において、本発明は冷却および換気のために横から横への空気流を使用する器具により排出される排出空気から冷却用取入れ空気を分離するように構成されている囲い手段を提供する。本発明の別の形態は同じ囲い内に前から後への空気流または横から横への空気流を使用する異なるタイプのラック装着器具の異なる冷却要求を同時に満たし、一方、冷却用取入れ空気を排出空気から分離するように構成された囲いを提供する。本発明の更なる形態は空間またはチャンバーを画定する内部を有する囲いを提供し、上記内部は冷却のために横から横への空気流を使用する器具により取入れられる冷却用空気を受領しかつ保持するように構成配置されている。別の形態において、チャンバーまたは空間は器具囲い内に構成され、そこでチャンバーまたは空間は横から横への空気流を使用する器具により取入れられるための冷却用空気を保持しかつチャンバーまたは空間からの空気ロスを阻止するように構成配置されている。また本発明の別の形態は冷却および換気のために前から後への空気流を使用する器具および並列空気流を使用する器具の異なる空気流の要求を満たす適用可能な構成を備えた囲いを提供する。更なる本発明の形態は障壁、仕切り、内部連結体および他の部品のシステムを提供して囲いの内部、および／または囲い内に収容された器具を異なるタイプの器具の装着のために、かつ冷却および換気のために器具により使用される空気流のパターンを同時に支持するために、容易にかつ素速く構成配置される。
【０００６】
一般的に、一つの形態において、本発明は器具を収容するためのハウジングを包含した囲いを備え、このハウジングは頂測部、底測部、第１側部、第２側部、および前側部を備えており、底側部および第１側部の少なくとも一つがその中に少なくとも一つの開口を形成されてハウジングの内部の前部分内へ冷却用空気を受領し、かつ後側部および頂測部の少なくとも一つがその中にハウジングの内部の後部分内からハウジングの外側領域へ空気の排出を許容する少なくとも一つの開口を形成し；内側フレームはハウジングの内部に配置されかつ第１側部および第２側部から隔てられかつ内側フレームにより形成された器具領域内に１または２以上の器具の装着を許容するように固着されており；および第１空気空間はハウジングの内部フレームおよび第１側部の間の内側フレームの第１側部に沿い配置されており、第１空気空間はハウジングの内部の前部分と流体連通していて開口からの冷却用空気を受領しかつ内側フレームの第１側部に沿う空気を収容するように構成されて空気が第１空気空間から内側フレーム内の器具内へ流れ得るようにされている。
【０００７】
本発明の完成は以下の特徴の１または２以上を備え得る。囲いは更に第２空気空間を包含し、この第２空間は内側フレームの第２側部に沿い内側フレームおよびハウジングの第２側部の間に配置されており、第２空気空間はハウジングの内側の後部分と流体連通しかつ内側フレーム内の器具からの排出空気を受領するようにされている。第１空気空間は後部を備え、その後部は第１空気空間およびハウジングの内部の後部分の間に空気流ブロック障壁を備えている。第２空気空間は前部分を備え、この前部分は第２空気空間およびハウジングの内部の前部分の間に空気流ブロック障壁を備えている。
【０００８】
囲いは更に第１仕切りを包含し、この仕切りは第１空気空間および内側フレームの第１側部の間に取り外し可能に装着されて第１空気空間から内側フレームの器具領域の部分内への空気流入をブロックする。更に囲いは第２仕切りを包含し、この仕切りは第２空気空間および内側フレームの第２側部の間に取り外し可能に装着されて内側フレームの器具領域の部分から第２空気空間内への空気流入をブロックする。囲いは更に後部パネルおよび頂部パネルの少なくとも一つに連結された排出ユニットを包含し、この排出ユニットは収容された少なくとも一つのファンを備えて囲いの内部から空気を吸う。
【０００９】
囲いは更に第１仕切りを包含し、この仕切りは第１空気空間および内側フレー
ムの第１側部の間に取り外し可能に装着されて第１空気空間から内側フレームの器具領域の部分内への空気流入をブロックする。前部分は内側フレームに装着された器具に冷却用空気を提供するように構成され、そこで器具が前から後への冷却に適合されている。
【００１０】
別の形態において、本発明は第１装置および第２装置の冷却の方法を提供し、各装置は器具囲い内に装着されており、ここで第１装置は前から後への冷却のために、かつ第２装置は横から横への冷却のために構成されており、方法は器具囲いの内側前部分内へ冷却空気を受領し；内側前部分から第１装置を通して囲いの後部内側部分内へ空気を引き；内側前部分から囲いの側部内側部分へ空気を引き；側部内側部分から第２装置を通して第２側部内側部分へ空気を引き；第２側部内側部分からおよび後部内側部分から囲いの頂部および囲いの後部の少なくとも一つで外へ空気を排出し：および装置から排出される空気を装置内へ吸入される空気から分離する工程を包含いる。囲いは第１装置および第２装置を収容している内側領域を有する器具フレームを備え、かつ方法は更に側部内側部分および器具フレームの内側領域の間に第１仕切りを取り外し可能に装着する工程を備えて側部内側部分および内側領域の部分の間の空気流をブロックするようにしている。
【００１１】
方法は更に、器具フレーム内に第３装置を挿入し、この第３装置が横から横への冷却のために構成され；および第３装置を通る横から横への空気流を許容するために第１仕切りを取り外す工程を包含している。
【００１２】
本発明の更なる形態は器具を収容するための器具囲いを提供し、この囲いは外側ハウジング；内側フレーム、このフレームはハウジングの内部に配置されかつハウジング内に固着されて内側フレームにより形成された器具領域内に器具部品の装着を許容し、器具部品は前から後への冷却方式を有する第１タイプの器具および横から横への冷却方式を有する第２のタイプの器具を備え；および外側ハウジングの前部内側部分から外側ハウジングの後部内側部分への空気流を容易化するための手段、その手段は第１タイプの器具が内側フレーム内に装着された時、横から横への冷却が達成されかつ第２タイプの器具が内側フレーム内に装着された時、前から後への冷却が達成され得る、を包含している。
【００１３】
更に別の形態において、本発明は器具囲いを提供し、この囲いは前側部、第１側部、第２側部および後側部を有する２３インチ囲いハウジング；囲いハウジングの内側領域内に配置された１９インチ幅の器具フレーム、このフレームは第１側部領域が囲いハウジングの前側部および器具フレームの第１側部の間に形成され、第２側部領域は器具フレームの第２側部および囲いハウジングの第２側部の間に形成され、前部領域は囲いハウジングの前側部および器具フレームの前側部の間に形成され、かつ後部領域は囲いハウジングの後側部および器具フレームの後側部の間に形成されており；器具フレームの第１側部および囲いハウジングの第１側部の間に配置された第１内側パネル、このパネルは第１側部領域および後部領域の間に実質的な気密シールを提供しており；および器具フレームの第２側部および囲いハウジングの第２側部の間に配置された第２内側パネル、このパネルは第２側部領域および前領域の間に実質的に気密なシールを提供している、を包含している。囲いは頂部および底部を備え、かつ前側部および底側部の少なくとも一つが開口を備えて囲い内への空気流を許容し、かつ頂部および後側部の少なくとも一つが開口を備えて囲いの外への空気流を許容している。
【００１４】
更に囲いは囲いの頂部および囲いの後側部の一つに装着された少なくとも一つのファンを包含して後領域から空気を引く。
【従来技術より有効な効果】
【００１５】
本発明の各種の形態は以下の利点の１または２以上を提供し得る。単一タイプの器具囲いは、例えば器具により使用されてその冷却および換気のニーズを満たす、前から後への空気流または横から横への空気流のような、空気流パターンに拘わらず電子器具の収容に使用され得る。囲いは従ってデータセンターまたはネットワークルームの計画、設計および保守の単純化を助け得る。横から横への空気流を使用する器具部品は１または２以上のドアーを有する囲い内に収容されたラック内に装着されることができ、上記ドアーは、例えばオープンフレームラックに代わるものとして、器具の増強された安全および保護を提供する。
【００１６】
囲い内に収容され、前から後への空気流を許容するように構成されている囲い、および／またはラックは、例えば容易にかつ素速く再構成することにより、冷却および換気のために横から横への空気流を使用する器具の動作要求を満たすために、変更され得る。囲いの内部は、例えばラックの左側部のような、側部に沿う空気取入れチャンバーまたは空間を画定するように構成され、上記ラックは実質的に囲われかつ冷却空気を受領しかつ保持し、そこから横から横への空気流を使用する器具はその冷却および換気の要求を満たすように空気を引き得る。囲いおよび／またはその囲い内に収容されているラックは複数のファンを有する１または２以上の空気ダクトがラック内に装着されることを許容するように構成され、ラックへの装着場所は並列空気流を使用する器具部品の近傍かつ間であり、上記部品に沿う空気取入れ口へ向かう冷却空気の体積を増加させている。空気ダクトはラック内に構成配置され、それは複数のファンが冷却空気をダクト内に吸いかつ空気をチャンバーまたは空間内へ向ける。この囲いおよび／またはラックは従ってチャンバーまたは空間内への冷却空気の体積および／または流れ率の増加によりチャンバーまたは空間を加圧するように構成され得る。冷却空気の増加された体積は冷却のために横から横への空気流を使用する器具へ供給され、それは器具が囲い内に収容されかつ／またはラックに装着されている時であり、上記ラックは前から後への空気流を提供するように構成され得る。横から横への空気流を使用する電子器具の性能信頼性および有効寿命は増加されかつ過熱および器具運転停止は減少され、これは他の冷却解決法に比べて前から後への空気流を提供する標準型囲い内に収容された時である。
【００１７】
前から後への空気流を使用する器具および横から横への空気流を使用する器具の冷却および換気の要求を同時に満たすように構成された囲い、および／または囲い内に収容されたラックは、ラックが高いパワー密度で動作することを許容し得る。囲いおよびラックは単一囲い手段内で前から後への空気流または横から横への空気流を使用する異なるタイプの器具の混合体を収容することができ、かつこれによりそれぞれが冷却および換気のために要求される１タイプの空気流に適合するように構成されている、２個の分離した囲いおよびラックのニーズを除去し得る。この単一囲い手段は、従って、異なるタイプの器具を収容するために求められるフロアースペースを減し得る。前から後への空気流を使用する器具および横から横への空気流を使用する異なるタイプの器具の冷却および換気の要求を同時に満たすように構成された囲い、および／または囲い内に収容されたラックは器具部品の冷却ニーズを受け入れかつ収容することができ、それは例えば横から横への空気流を使用し、異なる前から後への深さおよび部品に沿う各種の場所に配置されている取入れ口を備えている。各種の障壁、仕切り、パネル、内部連結体、ガスケット、グロメットおよび同種のものは囲い内部、および／または囲い内に配置されるラックの構成に使用されることができて、単一囲い手段内に前から後へおよび横から横への空気流を提供し、かつ冷却用空気を排出空気から分離する。
【００１８】
囲い、および／または囲い内に収容されたラックは、排出空気を横から横への空気流を使用する器具により吸入される取入れ空気から分離するように構成配置可能であり、これにより器具の動作温度は低減され得る。低減された動作温度は器具の寿命を増しかつ器具上の温度超過警報の頻度を減し得る。囲い、および／または囲い内に収容されたラックは、排出空気を横から横への空気流を使用する器具により吸入される取入れ空気から分離するように構成配置可能であり、取入れ空気体積の減少を助けかつ冷却ユニットまたはシステムにより囲いへ供給される冷却用空気の所要最低温度の増加を助ける。冷却用空気の所要最低温度の増加は冷却ユニットまたはシステムの動作効率の増加を助ける。ＩＴラック装着電子器具の性能信頼性および有効寿命は増加可能でありかつ過熱および器具の運転停止は他の冷却解決法に比べて減少させ得る。
【００１９】
囲いは内部を備えることができ、この内部は冷却および換気のために器具部品により囲い内に吸入された取入れ空気を排出空気から効果的に分離するように構成配置されており、上記排出空気は動作中に部品により排出されるものである。冷却用空気を熱いおよび暖かい排出空気から分離することは冷却用空気と排出空気の混合の阻止／最小化を助けることができかつそれにより排出空気が器具の空気取入れ口へ循環する程度の阻止／最小化を助け得る。その結果として、動作中における器具部品の不充分な冷却および過熱が阻止され／最小化され得る。冷却用空気の排出空気からの分離はデータセンターまたはネットワークルームと協働する冷却ユニットまたはシステムへの排出戻り空気の温度増加を助け、これは冷却ユニットまたはシステムの動作効率の増加を助け得る。排出空気の温度上昇は冷却ユニットまたはシステムが器具へ供給を要求されている空気体積の低減を助け得る。冷却用空気の排出空気からの分離は冷却ユニットまたはシステムが冷却用空気を増加された温度で供給することを許容し、一方、器具の同一動作温度の保持を許容し得る。器具に供給される冷却用空気の増加された温度は更に冷却ユニットまたはシステムの効率向上を助ける。
【００２０】
現存する標準的なＩＴラックおよび囲いはラックの各種の部分を通して前から後への空気流および横から横への空気流構造の双方を備えるように構成配置されることができ、その場合には顕著な改造およびコストを必要としない。標準的なＩＴラックおよび囲いはデータセンターおよび器具室構造の適合性および柔軟性を高めることができ、これは、もしそのようなラックおよび囲いが異なるタイプの電子器具を受け入れかつ好適に冷却するように構成され、上記器具が単一ラック／囲い手段内に同時に装着されている場合である。ＩＴおよび遠距離通信器具の混合体のような、異なるタイプの動作要求を満たし得るＩＴラックおよび囲いは器具の改造およびデータセンターおよび器具室スペースのより大きい容易性および柔軟性を提供し得る。
【発明を実施するための最良の形態】
【００２１】
本発明の形態は装置ラック囲いを備え、この囲いは囲い内でラックに装着された器具の冷却および換気の要望を満たすように限定された空気流条件を容易化するために構成された内側を有し、そこでは囲い内部が前から後への空気流および横から横への空気流を許容するように構成されかつ／または配置されており、前から後への空気流は例えば情報（ＩＴ）器具により使用され、横から横への空気流は例えば遠距離通信器具のあるタイプにより使用される。典型的な囲いは少なくとも第１空気取り入れ空間を備え、この空間は囲い内に画定されかつ冷却空気を内蔵するように配置され、この空間は前から後への空気流に向けておよび／またはそれから反らされてラックの１または２以上の部分を通して横方向に流される。本発明による囲いの異なる実施例は、例えば異なるタイプの電子器具の深さのような、異なる寸法を収容するように構成されまたは適用される囲い内部を許容し、一方、異なるタイプの器具の冷却および換気の要望に適合することが許容される。本発明による実施例は遠隔通信器具およびＩＴ器具を同時に収容して各タイプの器具の冷却および換気の要望が満たされる囲いを許容する。他の実施例は本発明の範囲内である。
【００２２】
図１において、器具ラック囲い１０は囲いハウジング１２およびラック１４を備えている。ハウジング１２はラック１４を収容しまたは囲うのに充分な内部１３を画定するように形成されかつ寸法が定められている。一つの実施例において、ハウジングは実質的に中央位置にラック１４を囲うように形成されかつ寸法が定められている。ハウジング１２はラック１４の各側部上に配置された側部パネル２６および２８を備えてラック１４を囲いかつハウジング１２を画定する。一つの実施例においては、ハウジング１２は更に開口後パネル２４および開口前パネルまたはドアー３０を備えている。ハウジング１２の前ドアー３０および後パネル２４はラック１４を通る空気流を許容するように形成されかつ配置されている。ドアー３０は、例えば器具室またはデータセンターの周辺空気のような、冷却空気をドアー３０内に画定された多数の空気孔３０Ａを通してハウジング内部１３へ流れることを許容するように配置されている。後パネル２４は排出空気が後パネル２４内に画定された多数の孔２４Ａを通してハウジング内部１３に対する外側領域へ流れることを許容するように配置されている。一つの実施例において、ハウジングは更に頂部パネル１５および底部パネル１９を備え、これらは更にハウジング１２を画定している。
【００２３】
一つの実施例において、ラック１４は４個の装着用レール１４ａ、１４ｂ、１４ｃおよび１４ｄを備え、これらはフレームおよび器具領域を画定することを助け、上記領域内には電子器具、例えば、情報技術（ＩＴ）部品および／または遠隔通信器具１８、が配置されている。ラック１４は更に１または２以上の水平装着部材１６を備え、これらはハウジング１２の前部分から後部分へ延びて、器具領域を区画しかつ器具１７および１８の装着を助ける。別の実施例において、ラック１４の前装着レール１４ａおよび１４ｂは装着部材１６の１または２以上の前端部に連結され、かつ後装着レール１４ｃおよび１４ｄは部材１６の後端部に連結されてラック１４および器具領域を区画し得る。１または２以上の装着レール１４ａ、１４ｂ、１４ｃおよび１４ｄは頂部パネル１５、底部パネル１９、側部パネル２６および２８、前ドアーおよび後パネル２４の１または２以上に連結されてラック１４をハウジング内部１３内に位置決めしかつしっかりと配置し得る。
【００２４】
装着レール１４ａ、１４ｂ、１４ｃおよび１４ｄは器具部品１７および１８がそれらに装着されて器具部品１７および１８を区画された器具領域内に配置しまたはラック支持するように、配置されかつ形成されている。一つの実施例において、前装着レール１４ａおよび１４ｂは、例えばＩＴ部品１７のような、器具がラック１４内の所望垂直高さおよび深さに装着され、それは器具のＵ高さ、深さおよび他の寸法に依存している。装着レール１４ａ、１４ｂ、１４ｃおよび１４ｄはハウジング１２内に装着されて、器具部品１７がラック装着された時、略中央位置を占めるようにされている。
【００２５】
本発明による囲い１０の実施例は装着レール１４ａ、１４ｂ、１４ｃおよび１４ｄおよび／または複数装着部材１６を備えて、ＩＴおよび遠距離通信部品１７および１８のような、異なるタイプの器具部品の混合体をラック装着し得る。
【００２６】
一つの実施例において、囲い１０は１９インチ幅Ｗ１または２３インチ幅Ｗ１を有するラック１４を囲うようにサイズが定められている。ラック１４は１９インチ幅または２３インチ幅を有する器具部品１７および１８を受領しかつ装着するように形成されている。一つの実施例において、ラック１４は２３インチ幅Ｗ１を持つことができかつ更に１９インチ幅を有する器具を独占的に受領しかつ装着するように形成され、その器具は例えば、ＩＴ部品１７、または例えば遠距離通信部品１８のような２３インチ幅を有する器具である。別の実施例において、２３インチラック１４は１９インチまたは２３インチ幅の何れかを有する器具の混合体を同時に受領しかつ装着するように形成されることができ、上記器具は例えばＩＴおよび遠距離通信部品１７および１８の混合体である。
【００２７】
囲い１０はラック１４を囲う包括的な寸法を持ち、その寸法は例えば、ラック１４の左側に沿うスペース４６がラック１４の左側に沿う空気流を増し／最適化することを助ける寸法とされ、これは以下に詳述される通りである。本発明の異なる実施例において、ラック１４は囲い１０内の中央位置から動かされて開放スペース４６および４８の一つを拡大させ得る。
【００２８】
一つの実施例において、囲い１０は２３インチ幅Ｗ１のラック１４を収容するための包括的寸法を備え得る。この実施例においては、２３インチ囲い１０は１９インチまたは２３インチ幅Ｗ１の何れかを有するラック１４を囲うサイズとされており、これにより同時に収容し得る器具１７および１８に関連して囲い１０に柔軟性および適合性を提供し得る。囲い１０は約２４インチないし約３０インチ以上にわたる幅を非限定的に備え得る。本発明は、しかしながら、特定包括的寸法を有する囲い１０に限定されるものではなく、かつ、特に、ラック１４および／または器具１７および１８の異なるサイズおよび幅を有するものを収容するように特定幅および予測寸法に限定されるものではない。囲いはラック１４内に装着された器具部品１７および１８のタイプおよび分布を収容するように、かつハウジング内部１３内の空気流を増し／最大化することを助けるようにサイズが定められかつ形成される。例えばラック１４の左側に沿う、ハウジング内部１３内の空気流の助長および増加はハウジング内部１３内の横から横への空気流形成を助ける。
【００２９】
囲い１０の頂部横断面を描写した図２、および更に一実施例の図１において、ハウジング内部１３は少なくとも第１空気取入れ空間２０を側部パネル２６およびラック１４の間の解放スペース４６内のラック１４の左側に沿い画定するように形成されている。ハウジング内部１３は更に第１排出空気空間２２を囲い１０の側部および後部に沿い画定するように形成されている。１または２以上の障壁または仕切り３２、３４および３８が側部パネル２６および２８およびラック１４の間のスペース４６および４８内に形成されて第１空気取入れ空間２０および／または排出空間２２の形成を助けている。以下に詳述されるように、第１空気取入れ空間２０は実質的に閉ざされた構成であり、それはラック１４の左側に沿い構成配置されて冷却用空気を受領しかつ収容し、そこから冷却のために横から横への空気流を使用する器具がその冷却および換気のニーズを満たすために空気が引かれる。ハウジング内部１３内に画定されている第１取入れ空間２０はそれにより遠距離通信器具１８により使用される横から横への空気流の形成を助ける。
【００３０】
１または２以上の障壁または仕切り３２、３４および３８は更に第１空気取入れ空間２０を排出空間２２から分離するための障壁または仕切りとして機能するように形成配置されており、かつこれにより排出空気が排出空間２２から第１空気取入れ空間２０への循環を阻止することを助ける。以下に更に詳述されるように、仕切り３２、３４および３８はハウジング内部１３内に構成配置されて異なる寸法および、特に、異なる深さの器具１７および１８を収容して冷却用空気の排出空気からの分離を達成し得る。ハウジングの頂部パネル１５および底部パネル１９は更に第１取入れ空間２０および／または排出空間２２を区画し得る。
【００３１】
一つの実施例において、第１取入れ空間２０は実質的に取り囲まれており、ハウジング内部１３の前部分またはラック１４の空気取入れ側部２５と流体連通した開放端部２０Ａを備えている。図２内に示されているように、空間２０は冷却用取入れ空気の横向きおよび／または反らされた流れを受領するように配置形成されており、上記空気はドアー３０内の空気孔３０Ａからハウジング１２内にハウジング内部１３の前部および／またはラック１４の空気取入れ側部２５に沿い吸入される。第１取入れ空間２０は更に充分な冷却用空気を保持するように形成されそこから横から横への空気流を使用する、例えば遠距離通信器具１８のような器具の取入れ空気が吸引され得る。更に、第１取入れ空間２０は横から横への空気流を使用するラック１４内の器具を通る並列空気流を制限するように構成されている。
【００３２】
第１取入れ空間２０は更に空間２０からの空気ロスを阻止／低減するようにかつ第１取入れ空間２０から排出空間２２への空気流を阻止／低減するように配置構成されている。第１取入れ空間２０は排出空気が取入れ側部２５から空間２０へ循環することを阻止／低減することを助ける。空間２０および頂部および底部パネル１５および１９は中央部、ラック１４の頂部または後部から取入れ側部２５および空間２０内への空気流を阻止し得る。空間２０は基本的にはハウジング内部１３内に配置構成または調整されていてハウジング内部１３の前部内へ吸入される冷却用取入れ空気をラック１４の後部に沿い排出される排出空気から分離する。排出空気からの冷却用空気の分離は排出空気の空気取入れ側部２５および空間２０への循環を阻止／最小化し、かつ器具１７および１８の作動中における冷却用空気と排出空気の混合を阻止／最小化する。
【００３３】
一つの実施例において、図１−２内に示されているように、１または２以上の仕切り３２および３４がラック１４の左側部上の側部パネル２６および１または２以上の部材１６の間に配置されており、上記部材はラック１４の左側部に沿い前から後へ延びて第１取入れ空間２０を画定している。この１または２以上の仕切り３２および３４は実質的にエヤータイトな障壁を第１取入れ空間２０および排出空間２２の間に形成するのを助けるように配置構成されており、かつそれにより空間２０内の冷却用空気を排出空間２２から排出される空気から分離することを助けている。
【００３４】
ハウジング内部１３の前面を描写している図３および更に一つの実施例の図１−２に関連して、一つの仕切り３２が側部パネル２６に対して実質的に平行に配置されておりかつ他の仕切り３４は左側部パネル２６に対して実質的に直角方向に配置されている。仕切り３２および３４は第１取入れ空間２０の画定を助けるような角度で接合または連結されている。一つの実施例において、左側部パネル２６と実質的に平行に配置されている仕切り３２は少なくともラック１４の高さＨ１の部分に沿い垂直に延びており、かつ左側部パネル２６に対して実質的に直角に配置されている仕切り３４は同様にラック高さＨ１の部分に沿い垂直に延びて第１取入れ空間２０を画定している。
【００３５】
別の実施例において、左側部パネル２６と実質的に平行に配置されている仕切り３２が配置されかつラック１４の部材１６に連結されて仕切り３２が部材１６から左側部パネル２６へと延び第１取入れ空間２０の形成を助け、これにより仕切り３４の必要性を排除し得る。
【００３６】
更に図１−２に関連して、ラック１４の右側部上の仕切り３８は前空気取入れ空間２３の画定を助けるように配置形成されている。前空気取入れ空間２３はハウジング１２の内部１３の前部分をドアー３０およびラック１４の間に備え得る。前空気取入れ空間２３はハウジング内部１３の前部分内へラック１４の空気取入れ側部２５に沿い孔の開けられた前部パネルまたはドアー３０から吸入された空気を受領するように形成されかつサイズが定められている。仕切り３８は更に排出空間２２の画定を助けるように形成されている。仕切り３８はハウジング１２の右側部パネル２８に対して実質的に直角方向に配置されかつ少なくともラック１４および／またはハウジング内部１３の高さＨ１の部分だけ垂直に延びている。仕切り３８は更に前部取入れ空間２３および排出空間２２の間に実質的に気密障壁を形成するように構成されている。仕切り３８はこれによりラック１４の前部から排出空間２２への空気流の阻止を助け、かつ排出空気が第１および前部取入れ空間２０および２３へ循環してかつその中にある冷却用取入れ空気との混合阻止を助ける。右側仕切り３８は、ラック１４の左側部上の仕切り３２および３４と共に、動作中に器具１７および１８によりハウジング内部１３内へ吸入される冷却用空気を排出空間２２へ排出される暖かい空気から分離する。
【００３７】
囲い１０の左側断面を描写している図４Ａ、および更に一つの実施例のおける図３に関連して、仕切り３２および３４はラック１４および／またはハウジング内部１３の全高Ｈ１に実質的に沿い垂直に延びて第１取入れ空間２０を左側パネル２６および器具部品１７および１８の間に画定することを助ける。
【００３８】
別の実施例で図４Ｂ内に描写されている左側断面において、各仕切り３２および３４は垂直にかつ他の仕切りと同等にラック１４および／またはハウジング内部１３の高さＨ１の一部だけ延びており、この高さはラック１４内に垂直に装着されている遠距離通信部品１８の量またはＵ高さに対応している。この場合は、前部仕切り３５および底部仕切り３６はスペース４６内に配置されて第１取入れ空間２０の区画およびラック１４内の遠距離通信部品１８の量にその形状を限定することを助けている。前部仕切り３５はラック１４の前側で連結されており、例えば、ラック１４に対してまたは、もし有るならば、部材１６の前側部分に連結される。前部仕切り３５はハウジング１２の左側パネル２６へパネル２６と実質的に直角に延びかつラック１４の高さＨ１に沿い底部パネル１９へと下方へ延びている。前部パネル３５は以下に詳述されているように、底部パネルに対して適当な方法でかつ適当な手段により連結接合されている。底部仕切り３６はラック１４の前部から後部へラック１４の左側部に沿い底部パネル１９に対して実質的に平行な方向に延びている。図４Ｂ内に示されているように、前部および底部仕切り３５および３６は交差しかつ適当な方法でかつ適当な手段により連結または接合されている。更に、底部仕切り３６は、例えば仕切り３２および３４の各々の底部エッジのような部分に適当な方法でかつ適当な手段により接合または連結されている。仕切り３２、３４、３５および３６はこれによりラック１４の部品領域の部分に対する空間２０を区画しかつ制限することを助け、上記領域内には遠距離通信部品１８が装着されている。空間２０は基本的にはハウジング内部１３および／またはラック１４の取入れ側部２５の前部から吸入された冷却取入れ空気を受領し、かつ冷却空気を遠距離通信部品１８が冷却および換気のために使用する横から横への空気流に容易化するために保持するように形成されている。
【００３９】
一つの実施例の図５Ａ−５Ｂおよび更に図４Ａ−４Ｂにおいて、複数のブランクパネル２１が１または２以上の装着用レール１４ａ、１４ｂ、１４ｃおよび／または部材１６にラック１４の各サイドまたは前部に対して装着されて器具領域の部分をブロックし、これらの領域は空または部品を備えており、これらの部品は前から後への空気流を使用する、例えばＩＴ部品である。このブロックパネル２１は空気ロスの阻止を助け、このロスは第１および前部取入れ空間２０および２３から、ラック１４および／または部品１７および１８の境界部およびラック１４の面からのものである。図５Ａ内に示されているように、複数のブランクパネル２１は装着用レール１４ｂおよび１４ｃおよび／または１または２以上の部材１６に対してラック１４の部分でその左側部に沿い装着されることができ、上記左側部は部品１７および１８を備えまたは部品の無い空の部分である。複数のブランクパネル２１は部品１７および空の部分を覆いラック１４の左サイドからの空気ロスの阻止／最小化を助ける。囲い１０の右側断面および遠距離通信部品１８の排出側を描写している図５Ｂ内に示されているように、複数のブランクパネル２１は簡単に装着用レール１４ａおよび１４ｂおよび／または部材１６に対して装着されてＩＴ部品１７およびラック１４の空の部分をラック１４の右側部に沿って覆い得る。
【００４０】
一つの実施例において、ブランクパネル２１の使用は空気が図５Ａ−５Ｂ内の矢印８０により示されているように、ラック１４の頂部を越えて上方へ流れ、かつ遠距離通信部品１８の排気孔１８Ｂからの熱いおよび暖かい空気の流れを容易化することを助け得る。排気空間２３内の排気空気は図５Ｂ内の矢印８２により示されているように、例えば上方および／または下方へ循環し得る。ブランクパネル２１はそれにより、空気が後部パネル２４を通して排出される前に、ラック１４の頂部を越えてのおよび排気空間２３内での循環の容易化を助け、これはハウジング内部１３内の空気抵抗の低下を助ける。
【００４１】
一つの実施例の図６Ａ−６Ｂにおいて、１または２以上の仕切り３２、３４、３５、３６および３８は特定寸法付きで構成されることができ、上記寸法は例えば１または２以上の部品１７および１８のＵ高さおよび幅に対応する高さおよび幅である。別の実施例においては、仕切り３２、３４、３５、３６および３８は単一の仕切りまたは２または３以上の重複または積層仕切りとして構成配置され得る。例えば、図６Ａ内に示されているように、ラック１４の左側部上に配置されている仕切り３４は装着用フレーム３４ｂ内に配置されている２または３以上の重複仕切り３４ａを備え得る。装着用フレーム３４ｂは、例えば高さＨ２および幅Ｗ２のような適当な寸法を備えてフレーム３４ｂが左側パネル２６およびラック１４の間に区画されたスペース４６内に着座し得るようにされている。一つの実施例においては、フレーム３４ｂは１または２以上の左側装着用レール１４ｂおよび１４ｃ、ラック部材１６、頂部パネル１５、底部パネル１９および側部パネル２６の１または２以上に取り外し可能に連結されてフレーム３４ｂを確実に位置決めする。
【００４２】
別の実施例において、フレーム３４ｂは、フレーム３４ｂがスペース４６内に着座した時、フレーム３４ｂの外周がラック部材１６、頂部パネル１５、底部パネル１９および側部パネル２６の１または２以上に対して付勢されフレーム３４ｂをハウジング内部１３内に位置決めし得る。
【００４３】
図６Ｂ内に示されているように、装着用フレーム３４ｂの側部断面は、仕切り３４ａが重複配置されているフレーム３４ｂ内に摺動可能に配置されて各仕切り３４ａが隣接した仕切り３４ｂの全域でスライド可能である。一つの実施例においては、各仕切り３４ａがフレーム３４ｂの内面内で垂直に区画されているトラックまたは溝３４ｃ内に摺動可能に装着されている。仕切り３４ａはフレーム３４ｂの高さＨ２に沿い垂直に下方／上方へ引くことができ、重複仕切り３４ａを所望により伸長させまたは短縮させ得る。
【００４４】
図６Ａ内に示されているように、仕切り３４ａを伸長または短縮させて第１取入れ空間２０の高さＨ３を画定して、空間２０の高さＨ３を例えば、ラック１４内の遠距離通信部品１８の位置およびＵ高さに対応させ得る。一つの実施例において、仕切り３４ｂはラック１４および／またはハウジング内部１３の全高Ｈ１に沿い一杯まで伸長させ得る。
【００４５】
上で注目されたように、仕切り３２、３４、３５、３６および３８の１または２以上は単一仕切りとして構成配置され得る。図６Ａ内に示されているように、ラック１４の右側部上に配置されている仕切り３８は、例えば、装着用フレーム３８ｂ内に装着された単一の仕切り３８ａであり得る。装着用フレーム３８ｂはラック１４の左側部上に配置されているフレーム３４ｂと同様であり、かつフレーム３８ｂが右側部パネル２８およびラック１４の間に区画されたスペース４８内に着座し得るように適当な寸法を備えている。ラック１４の左側部上に配置されているフレーム３４ｂと同様に、フレーム３８ｂは上述のファスナー４４の１または２以上により取り外し可能に連結されるように構成配置され、またはフレーム３８ｂをラック部材１６、頂部パネル１５、底部パネル１９および側部パネル２６の１または２以上に対してスペース４８内に着座した時に付勢を許容するように構成されかつ寸法が定められ得る。
【００４６】
一つの実施例の図７Ａ−７Ｂにおいて、仕切り３２および３４およびブランクパネル２１はラック１４の左側部に沿い構成配置されてラックに装着された器具部品１７および１８の異なる深さおよびＵ高さを収容し得る。図７Ａ−７Ｂ内に示されているように、ラック１４内に同時に装着されているＩＴおよび遠距離通信部品１７および１８は部品１７および１８のタイプにより異なる深さを備え得る。仕切り３２および３４およびブランクパネル２１は異なる配置および輪郭で構成配置されて器具部品１７および１８および装着用レール１４ｃまたは他の仕切り３４の間に区画されたスペースまたは領域に収容するように構成配置されており、これはラックに装着された部品１７および１８の異なる深さに起因する。仕切り３２および３４およびブランクパネル２１はこれによりラック１４の左側部に沿う第１取入れ空間２０をラック１４内の器具１７および１８の混合体の変化に対応して区画構成することを助け得る。
【００４７】
一つの実施例の図７Ａ−７Ｂに示されているように、仕切り３２はラック１４の左側部に沿い配置された１または２以上の分離仕切りの形に形成されることができ、そこでは仕切り３２の単一部分または２または３以上の部分が高さを画定し、それは部品１７および１８の１または２以上のＵ高さに対応しかつ部品１７および１８および仕切り３４またはレール１４ｃの間の領域を収容するように深さが画定されている。一つの実施例においては、仕切り３２の１または２以上の部分が図６Ａ内に示されている重複仕切り３４ａと同様な輪郭配置を備えかつ装着用フレーム３２ｂ内に配置されている重複仕切り３２ａを備えている。装着用フレーム３２ｂは仕切り３２ａを重複方法で保持していて各仕切り３２ａが隣接仕切り３２ａ上を摺動可能とされている。仕切り３２ａは図７Ａ内に示されているように、垂直方向に昇／降して仕切り３２ａの長さが伸／縮し、または前から後へ摺動可能に動いて図７Ｂ内に示されているように仕切り３２ａの幅が拡大／縮小する。装着用フレーム３２ｂはフレーム３２ｂが部品１７および１８および仕切り３４または左後装着用レール１４ｃの間で着座するようにサイズが定められかつ構成されている。別の実施例において、フレーム３２ｂはレール１４ｃ、１または２以上の装着用部材１６、仕切り３４および／または頂部または底部パネル１５および１９に対して取り外し可能に連結され得る。
【００４８】
異なる実施例の図７Ａ−７Ｂにおいて、重合仕切り３２ａはレール１４ｃ、１または２以上の部材１６、仕切り３４および／または頂部または底部パネル１５および１９に対して取り外し可能にかつ直接的に接続または連結されている。一つの実施例において、各仕切り３２ａは隣接仕切り３２ａに仕切り３２ａが不動となるように連結され得る。別の実施例において、各仕切り３２ａは隣接仕切り３２ａに対してスライド可能に連結されて仕切り３２ａが昇／降方向または前から後への何れかに互いに接近／離隔するようにスライドし得る。隣接仕切り３２ａの動きは重複仕切り３２ａの高さまたは深さを調整して異なる深さおよびＵ高さの部品１７および１８を収容する。図７Ａ−７Ｂ内に示されているように、各ブランクパネル２１は異なる長さを備えて異なる深さの器具部品１７および１８を収容し得る。仕切り３２ｂおよび／または複数のブランクパネルは第１取入れ空間２０を区画しかつ第１取入れ空間２０および排出空間２２の間に空気流ブロック障壁を形成することを助ける。
【００４９】
更なる実施例において、ブランク仕切り３７は図７Ａ−７Ｂ内に示されているように、ラック１４の左側部に沿い組み込まれ得る。複数のブランクパネル２１のように、仕切り３７はラック１４の器具領域の部分をブロックすることを助け、その部分は空または前後空気流を使用する、例えばＩＴ部品１７部品を備えている。仕切り３７は第１および前取入れ空間２０および２３からの、ラック１４からの、および／または部品１７およびラック１４の表面の境界面からの、空気ロス阻止を助け得る。仕切り３７は装着用フレーム３７ｂ内に配置されている重複仕切り３７ａのセットを備え得る。フレーム３７ｂは図６ｂ内に示されているフレーム３４ｂと同様に構成され得る。一つの実施例において、仕切り３７ａは仕切り３７ａの長さを伸長／収縮するために垂直に昇／降させ得る。
【００５０】
図７Ａ内に示されているように、一つの実施例において、ラック１４に対して直角に延びている仕切り３４はラック１４の長さＨ１を伸長させ得る。仕切り３２、重複仕切り３２ａおよびブランクパネルは、従って、以下に詳述されるように、適当な手段により適当な方法で接合または連結され得る。図７Ｂ内に示されているように、別の実施例において、仕切り３４はラック１４の高さＨ１に沿い横から横への空気流を使用する部品１８のＵ高さの大きさだけ伸長し得る。この場合において、ラック１４の左側部に沿い前から後へ延びる仕切り３６は仕切り３２および３４に対して接合または固縛される。ブランクパネルおよび重複パネル３２ａは左後部装着用レール１４ｃに対して適当な方法で適当な手段により接合または連結されて空気流ブロック障壁を形成する。
【００５１】
一つの実施例の図８Ａ−８Ｂにおいて、仕切り３９はラック１４の左側部に沿い配置されている。一つの実施例において、仕切り３９は前部装着用レール１４ｂから後部装着用レール１４ｃへかつ実質的にレール１４の高さＨ１に沿い延び得る。別の実施例において、仕切り３９はラック１４の高さＨ１の部分に沿い、例えば遠距離通信部品１８のように横から横への空気流を使用する隣接部品のＵ高さの量だけ延び得る。一つの実施例において、仕切り３９はレール１４ｂおよび１４ｃ、左側部装着用部材１６および／または頂部または底部パネル１５および１９の１または２以上に対して取り外し可能に接合または連結され得る。
【００５２】
図８Ｂ内の仕切り３９の部分の前面図内に示されているように、仕切り３９は、例えば熱抵抗性ポリエチレンのような材料４０の単一シートにより構成されており、これは実質的にその高さおよび幅にわたる多数の孔または開口４１を画定しかつ、例えばマイラー（登録商標）のような取り外し可能な被覆またはフイルムをその表面全体に備えている。一つの実施例において、設置中に、仕切り３９は器具部品１７および１８の近傍のラック１４の左側部に対して直接的に連結される。取り外し可能な被覆またはフイルム４２は、例えば切刃またはナイフのような、適当な手段を使用してスリットを入れまたはカットされ、かつその後に材料シート４０の表面から取り外されまたは手動で剥がされる。被覆４２の取り外しは多数の孔または開口４１の露出を許容しかつそれにより空気の流通を許容する。ラック１４の左側部と連結された時は、多数の孔または開口４１は空気が第１取入れ空間２０から部品１８の側部に沿い配置された空気取入れ口１８Ａ内へ流れることを許容する。
【００５３】
図８Ｂ内に示されているように、一つの実施例において、カバーまたはフイルム４２は印刷されたマークまたは印４３を備えて仕切り３９がラック１４に結合された時に横から並列空気流を使用する部品１８の位置を指示し得る。一つの実施例において、マーク４３は部品１８の取入れ孔１８Ａの位置を指示して、仕切り３９がラック１４に対して組み合わされた時、被覆またはフイルム４２の取り外しにより露出される多数の孔または開口４３が取入れ孔１８Ａと対応しおよび／または整列させ得る。多数の孔または開口４３は第１取入れ空間２０から取入れ孔１８Ａおよび部品１８を通して横から横への空気流を形成するように空気流を最適化／増加させることを助け得る。
【００５４】
一つの実施例において、被覆またはフイルム４２の一部分のみがシート材料４０から取り外されて並列空気流を使用するラック１４内に装着された部品１８の分布／位置および／またはＵ高さの量に対応させ得る。部品１８の分布／位置およびラック装着されたＩＴおよび遠距離通信部品１７および１８によって、仕切り３９はラック１４の全高Ｈ１だけ延びるか、または横から横への空気流を使用する部品１８を含むラック１４の部分のみに沿い制限されかつ延ばされ得る。仕切り３９の装着および被覆またはフイルム４２の裁断および取り外しの後には、仕切り３９はラック１４の変更および部品１７および１８の異なる混合または分布に適合するように調整され、それは、例えばテープ、ラベルまたはマイラー（登録商標）タブのような、取り外し可能なシールを多数の孔または開口４３の１または２以上の上に配置することにより行われて空気流所要量の変化に対応させ得る。部品の空気取入れ孔１８Ａに対してもはや対応しない多数の孔または開口４１はこれにより覆われて空気ロスの阻止／最小化を助ける。
【００５５】
図８Ｃにおいて、仕切り３９は左前部装着用レール１４ｂから左後部装着用ラック１４ｃへと延びている。一つの実施例において、左前部および後部装着用レール１４ｂおよび１４ｃは第１取入れ空間２０を区画している。以下に詳述されるように、異なる実施例において、ラック１４は、例えば２３インチのような、比較的広い幅Ｗ１を備え、かつ囲い１０は左前部装着用レール１４ｃが左前部装着用レール１４ｂおよび側部パネル２６の間のスペース４６を実質的に満たし、かつ左後部装着用レール１４ｃが左後部装着用レール１４ｃおよび側部パネル２６の間のスペース４６を実質的に満たすようにサイズが定められている。仕切り３９は左前部および後部装着用レール１４ｂおよび１４ｃに対して取り外し可能に接続または連結されて第１取入れ空間２０の区画を助けている。
【００５６】
図８Ｃ内に示されているように、仕切り３９はラック１４の左側部および部品１７および１８から隔てられていて仕切り３９およびラック１４および部品１７および１８が領域９０を区画し、この区画は部品１７および１８の１または２以上のラック１４からの動きを許容するのに充分にされている。一つの実施例において、部品１７および１８の１または２以上はラック１４に対してスライド可能に装着されるように構成され、所望される時は、部品１７および１８の１または２以上がラック１４からハウジング１２の前部分へ向かい水平外側にスライドし得る。部品１７および１８の１または２以上はラック１４から引き出し状の方法で、ラック１４からの取り外し付きまたは取り外し無しで、摺動可能に取り外され、部品１７および１９の点検、修理および／または取り換えを許容し得る。
【００５７】
一つの実施例において、１または２以上のブラッシュグロメット９１がラック１４および仕切り３９の間の領域９０内に配置されて部品１７および１８のラック１４に沿う前方／後方への水平運動または摺動運動を許容し、一方、領域９０からの空気ロスを阻止する空気ブロック障壁として機能させる。１または２以上のブラッシュグロメット９１は更に排気空間２２内を循環している排出空気の第１取入れ空間２０内に保持されている冷却用取入れ空気との混合を阻止するように構成されている。別の実施例において、１または２以上のブラッシュグロメットがラック１４および仕切り３９の間に配置され、仕切り３９のその位置から被覆またはフイルム４２が取り外されている。１または２以上のガスケットまたはブラッシュグロメットが被覆またはフイルム４２の除去により画定された仕切り３９の領域の周囲に沿って配置され得る。１または２以上のガスケットまたはブラッシュグロメットがラック１４、部品１７および１８および仕切り３９の間に配置されかつシールの形成を助けて空気ロスが阻止／最小化される。
【００５８】
一つの実施例の図９において、仕切り３２、３４、３５、３６および３７の１または２以上がガスケットまたはブラッシュグロメット８０として構成配置され得る。一つの実施例において、ガスケットまたはブラッシュグロメット８０は、上述のように、装着用フレーム３２ｂ、３４ｂ、３７ｂまたは３８ｂを備えてガスケットまたはブロスグロメット８０がハウジング内部１３内のラック１４近傍の所望位置に配置されている。ガスケットまたはブラッシュグロメットまたは仕切り３２、３４、３５、３６、３７および３８が第１取入れ空間２０、排出用空間２２および前部取入れ空間２３の画定を助けている。ガスケットまたはブラッシュグロメットまたは仕切り３２、３４、３５、３６、３７および３８は１または２以上の動力またはデータケーブルおよび／または他のコネクターがガスケットまたはブラッシュ部分内に挿入されかつそれを通して螺合されてラック１４を通しておよびハウジング内部１３の左および／または右側部に沿いケーブルの通路を作り配線および所要動力を提供するように構成配置されている。ガスケットおよびブラッシュグロメットまたは仕切り３２、３４、３５、３６、３７および３８は配線を許容しかつ第１および前部取入れ空間２０および２３から排出空間２２内への空気流のブロック／最小化を助けて、排出空気の器具部品１７および１８の取入れ部への循環を阻止／最小化しかつ冷却用空気の排出空気との混合を阻止／最小化するように構成されている。
【００５９】
一つの実施例の図１０Ａ−１０Ｂにおいて、仕切り３２、３４、３５、３６および３８の１または２以上は１または２以上の適当なファスナー４４により部材１６、頂部パネル１５、底部パネル１９、側部パネル２６および２８および後部パネル２４の１または２以上に対して取り外し可能に接合または連結されて仕切り３２、３４、３５、３６および３８をハウジング内部１３内の所望位置内に確実に配置する。適当なファスナー４４は、好ましくは、例えば部材１６に対して速やかな連結および取り外しを許容するように構成配置されていて、ハウジング内部１３を異なるタイプ、サイズ、およびＩＴおよび遠距離通信部品１７および１８のＵ高さに対応して容易に構成され、同様に内部１３をラック１４内の部品１７および１８の空気流条件および分布に適合するように構成されている。
【００６０】
好ましいファスナー４４はねじ、タブ、スナップタブ、ベルクロ（登録商標）ストリップ、および同種のものを、限定的ではなく、備え、これらは仕切り３２、３４、３５、３６および３８が容易に取り外されおよび／または再配置されることを許容している。適当なファスナー４４は仕切り３２、３４、３６および３８の１または２以上が構成される材料と、同様に仕切り３２、３４、３６および３８のサイズに依存し得る。例えば、図６Ａ内に示されているように、一つの実施例においては、ラック１４の左側部に沿う仕切り３２は１または２以上の部材１６にメタルスナップまたはベルクロ（登録商標）ストリップ状ファスナー４４により取り外し可能に連結されることができ、そこでは仕切り３２のエッジが部材１６の端部と衝合するかまたは重合し、かつそれらにファスナー４４により連結され得る。同様に、仕切り３２は隣接仕切り３４に対して同様な手段により取り外し可能に連結されて第１取入れ空間２０の画定を助け得る。
【００６１】
図１０Ａ内に示されているように、一つの実施例においては、仕切り３２は側縁に沿い１または２以上のタブ４４を備え、これらのタブは対応するスロット４４Ａ内に取り外し可能に挿入されるように構成配置され、これらのスロットは１または２以上の部材１６内でラックに対して仕切り３２を取り外し可能に取り付けまたは連結するように区画され得る。仕切り３２は更にその反対側に隣接仕切り３４と連結するためのタブ４４を備えて第１取入れ空間２０を区画するように構成され得る。別の実施例において、仕切り３２および３４は単一仕切りにより形成されることができ、そこでは単一仕切りは単一面として構成されかつラック１４の左側部に沿う仕切り３２および３４を形成するように折り畳まれまたは曲げられ得る。
【００６２】
仕切り３２、３４、３５、３６、３７および３８は電子環境内での使用に好適な材料で構成され得る。材料としては、容易な取り扱いおよび携帯性を許容する一方、空気流をブロック／最小化することを助ける充分剛直なものが好適である。好適な材料は比較的に安価であり、ある実施例において、仕切り３２、３４、３５、３６、３７および３８は安価に構成されかつ、もし所望されるのであれば、使い捨て可能とし得る。仕切り３２、３４、３５、３６、３７および３８が構成され得る材料は、ハウジング内部１３内の仕切り３２、３４、３５、３６、３７および３８のサイズおよび位置に依存し得る。更に、構造体の材料はハウジング内部１３が部品１７および１８の冷却および換気のニーズに適合するように再構成される期間および頻度に依存し得る。そのような材料は、限定されるものではないが、ポリプロピレンまたは他の熱可塑性プラスチック、アルミシート、補強された金属箔、補強されたプラスチックフィルム、およびそれらの組合せを備え得る。
【００６３】
本発明は、上述のように、仕切り３２、３４、３５、３６、３７および３８、およびブランクパネル２１の構造および配置に限定されるものではなく、かつ仕切り３２、３４、３５、３６、３７および３８の他の構成および配置と同様に他の障壁および／または仕切りを備えて第１および／または前部取入れ空間２０および２２および排出空間２３の区画を助け、同様に前から後への空気流および／または所望されるならば横から横への空気流を容易化するようにハウジング内部１３の構成または据え付けを助け得る。特に、本発明は障壁および／または仕切りの各種の構成および配置を備えて、ＩＴまたは遠距離通信部品１７および１８、またはＩＴおよび遠距離通信部品１７および１８の混合体を独占的に含むラック１４を収容し、かつ空気流を提供して各タイプの器具１７および１８の冷却および換気を満足させ得る。
【００６４】
本発明による囲い１０の他の特徴はハウジング内部１３内の空気流の容易化を助けて前後空気流構造および／または横から横への空気流構造を達成する。上に指摘されたように、孔付きドアー３０は多数の空気孔３０Ａを画定して、例えば周辺空気のような空気がハウジング内部１３の前部および／またはラック１４の空気取入れ側２５内への流入を許容する。一つの実施例において、ドアー３０は充分に多孔化され、例えば多数の空気孔３０Ａがドアー３０の左側部に沿い集中されて、第１取入れ空間２０内への空気流を奨励している。図３内に示されているように、一つの実施例において、例えば泡ガスケットのような１または２以上のガスケット７５が器具部品１７および１８の周縁周りに配置されて部品１７および１８および部材１６の間および隣接部品１７および１８の間に実質的に気密シールの提供を助け、第１および前部取入れ空間２０および２３からの冷却空気ロスの阻止／最小化を助けている。
【００６５】
図１１において、囲い１０の横断頂面図は囲い１０を通しての空気流の第１モードを描写しており、その空気流は前部取入れ空間２３が第１取入れ空間２０と流体連通することにより達成され得る。第１取入れ空間２０は図１１内の矢印５１により示されているように、前部取入れ空間２３から指向されかつ／または横に反らされた空気流の少なくとも一部を受領している。前後空気流条件を画定するために、冷却空気はドアー３０内の孔３０ＡからＩＴ部品１７の前部内に配置されている空気取入れ口１７Ａにより前部取入れ空間２３内へ吸引される。空気取入れ口１７Ａは空気を部品１７の前部内へ引く。引き込まれた空気は図１１内の矢印５０により示されているように、前後流内において、部品１７の前部から後部へ流れかつ部品１７の後部内に配置されている後部孔１７Ｂから排出される。横から横への空気流条件を画定するために、図１１内の矢印５１および５２により示されているように、冷却用空気はドアー孔３０Ａおよび前部取入れ空間２３から遠距離通信部品１８の側部内に配置された取入れ口１８Ａにより引かれる。空気取入れ口１８Ａは前から後への空気流の少なくともある部分を第１取入れ空間２０内へ引きおよび／または横方向に反らせることを助け、同様にドアー孔３０Ａからの冷却用空気を直接的に引くことを助けている。器具１８の側方部分に沿う取入れ口１８Ａは空間２０からの空気を部品１８内へ吸入する。吸入された空気は、図１１内の矢印５２により示されているように、横から横への流れにおいて、部品１８の一側から反対側へと流れかつ部品１８の反対側に沿い配置されている後部孔１８Ａから排出される。ＩＴおよび遠距離通信部品１７および１８から排出された空気は、図１１内に矢印５４により示されているように、排出空間２２からハウジング１２の外側へ排出される。
【００６６】
図１２において、囲い１０の横断頂面図は囲い１０の実施例を描写しており、その中でラック１４は、例えば２３インチのような比較的広い幅Ｗ１を備え、かつ更に前部垂直装着用レール１４ａおよび１４ｂがラック１４および各側部パネル２６および２８の間のラック１４の前部領域を、示されているように、実質的に満たすように構成されている。囲い１０を通る空気流の第１モードを容易化するために、図１１に関連して記述されているように、左側垂直前部装着用レール１４ｂは多数の開口または孔１４ｅを画定して空気を第１空気取入れ空間２０内へドアー３０の空気取入れ孔３０Ａからかつラック１４のハウジング内部１３の前部または空気取入れ側２５から、図１２内の矢印５１により示されているように、流入させることを許容し得る。多数の孔または開口１４ｅは第１空気取入れ空間３０への空気の提供を助け、これにより、例えば遠距離通信器具１８の冷却のために使用される充分な横から横への空気流の提供を助け、これは図１２内の矢印５２により示されている。一つの実施例において、左側装着用レール１４ｂは多数の孔または開口１４ｅを備え、これらは少なくともラック１４の高さＨ１の部分に画定されている。別の実施例においては、左側垂直装着用レール１４ｂは多数の孔または開口１４ｅを備え、これらはラック１４内に装着または分布されている横から横への空気流を使用する器具部品１８の高さに対するラック１４の高さＨ１の部分に沿い画定されている。
【００６７】
図１３において、囲い１０の横断頂面は囲い１０を通る空気流の第２モードを描写しており、それはラック１４がハウジング１２の前部に配置されてラック１４および仕切り３８が排出用空間２２のみを画定することを助けることにより達成され得る。この実施例においては、前部取入れ空間２３がハウジング内部１３内には画定されておらず、かつ仕切り３８はドアー３０の背後にある。ハウジング内部１３は遠距離通信部品１８を独占的に負荷しているラック１４を収容し得る。冷却空気はドアー３０内の空気孔３０Ａを通して吸入されかつ空間２０内へ直接的に流れ、これは図１３内の矢印５０により示されている通りである。
【００６８】
本発明による囲い１０の他の実施例の図１４Ａ−１４Ｂにおいて、囲い１０は１または２以上のダクトユニット７５を備えることができ、このユニットはラック１４内の垂直装着のために構成されかつ寸法が定められている。図１４Ａ内の囲い１０の横断頂面に示されているように、ダクトユニット７５はラック１４の器具領域内にラック装着を許容する全体寸法を備えることができる。ダクトユニット７５は内側室またはダクト７７を形成するハウジング７６を備え、このダクト７７は空気を受領しかつ保持するように構成されている。ダクトユニット７５は更にラックに装着された時、上記ユニットの前側に画定された多数の前孔または開口７８および上記ユニットの左側に画定された多数の側部孔または開口７９を備えている。ダクトユニット７５の室７７はそれが多数の前孔７８からの空気を受領しかつ空気をダクトユニット７５を通して多数の側部開口７９へ向かうことを助けそれにより空気を第１取入れ空間２０へ提供するように全体寸法が定められている。図１４Ａ内に示されているように、一つの実施例において、ダクト７５のハウジング７６はハウジングが、例えば図１４Ａ内に示されている漏斗状のような輪郭または形状を備え、それが空気を多数の前開口７８から多数の側部開口７９へ向かわせまたは導くことを助けかつそれにより前部取入れ空間２０内への空気流の体積または率の増加を助けるように構成配置され得る。
【００６９】
ダクトユニット７５はラック１４内に配置されかつ室７７は室７７が前から後への空気流の少なくともある部分を受領しかつそれにより捕獲するように構成されており、上記空気流はハウジング内部１３の前部分内の取入れ空間２０から、または図１４Ａ内に示されているように、ラック１４の空気取入れ側２５からのものである。前から後への空気流を使用する器具部品は空気をドアー３０の前孔３０Ａから前部取入れ空間２３内へ引いて前から後への空気流状態を構成し、これは図１１−１２に関連して上述されかつ図１４Ａ内の矢印５０により示されている通りであるので、図１４Ａ内の矢印５６により示されているように、ダクト７５は前から後への空気流のある部分をラック１４の左側部に沿う第１取入れ空間２０へ反らせることを助けて、横から横への空気流を提供している。
【００７０】
更に図１４Ａ−１４Ｂにおいて、一つの実施例では、ダクトユニット７５は室７７内に配置された１または２以上のファン７３を備え得る。一つの実施例において、１または２以上のファン７３は多数の前開口７８と組み合わされ、そこでは各ファン７３は、図１４Ａ内の矢印５５により示されているように、冷却空気をハウジング内部１３の前部内の前部取入れ空間２０から、またはラック１４の空気取入れ側２５から室７７内へ吸入するように構成されている。ファン７３は更に図１４Ｂ内の矢印５６により示されているように、空気を室７７内へ吸い込みかつ、多数の側部開口７９を通して第１取入れ空間２０内へ吸い込むように構成されている。別の実施例において、１または２以上のファン７３は多数の側部開口７８に組み合わされ、そこで各ファンは冷却空気を室７７を通してかつ前部取入れ空間またはラック１４の空気取入れ側から吸入するように配置されている。ファンは更に空気を第１取入れ空間２０内へ吸入するように構成されている。別の実施例において、ダクトユニット７５は多数の前部および側部開口７８および７９に連結された１または２以上のファン７３を備え得る。
【００７１】
図１４Ｃおよび更に図１４Ｂにおいて、一つの実施例では、ダクト７５のハウジング７７はダクトユニット７５を許容するようにあるＵ高さおよびある深さを画定するように構成されかつ配置されることができ、上記ダクトユニット７５はラック１４の器具領域内に配置された器具部品１７および１８に対して近傍におよび／または間に垂直に装着される。ダクトユニット７５はラック１４内の所望位置に装着されることができ、上記位置は、遠距離通信部品１８のような、横から横への空気流を使用する器具の位置および分布に対応して選択される。図１４Ｃ内に示されているように、ダクトユニット７５は、例えば並列空気流を使用する器具部品１８の上方または下方、および／または間のような、近傍のラック１４内に装着され得る。図１４Ｂ−１４Ｃ内に示されているように、横から横への空気流を使用している器具部品１８の間または近傍に配置された時、ダクトユニット７５は、例えば部品１８の空気取入れ口１８Ａにより室７７内へ吸入され、および／または多数の前部および／または側部開口７８および７９に連結されたファン７３により室７７内に吸入された室空気は、その多数の側部開口７９を通して第１取入れ空間２０へ向けられ得る。ダクトユニット７５はこれにより冷却空気をほぼ部品１８の側部孔１８Ａへ向けて排出し、これは図１４Ｂ−１４Ｃ内に矢印５７により示されている通りである。側部孔１８Ａは空気をダクトユニット７５の多数の側部開口７９から引き、これにより横から横への冷却条件のために充分に取入れ空気を引くことを助け得る。
【００７２】
図１５Ａにおいて、囲い１０の横断頂面は図１４Ａ−１４Ｃ内に描写された囲い１０の一つの実施例を描写しており、その中でラック１４は、例えば２３インチのような比較的に広い幅Ｗ１を備え、かつ更に前部垂直装着用レール１４ａおよび１４ｂがラック１４および各側部パネル２６および２８の間のラック１４の前領域を実質的に満たしている。左側の垂直前部装着用レール１４ｂは多数の孔１４ｅを画定して空気がドアー３０の空気取入れ孔３０Ａから、およびハウジング内部１３の前部から、またはラック１４の空気取入れ側２５から流入することを許容することができ、これは図１５Ａ内の矢印５１により示されかつ図１１−１２に関連して記述されたのと同様である。
【００７３】
図１５Ａ内に示された囲い１０の別の実施例の図１５Ｂにおいて、仕切り３２は器具１７および１８から左側後部装着用レール１４ｃへ延びて第１取入れ空間２０の画定を助け得る。異なる実施例において、仕切り３２は各種の構成を備えることができ、配置は上の図６Ａ−６Ｂ、７Ａ−７Ｂおよび／または８Ａ−８Ｃに関連して記述された通りである。
【００７４】
図１６内の囲い１０の斜視図において、囲い１０を通る空気流の第３モードは達成されることができ、そこでは前部取入れ空間２３はハウジング１２の底部パネル１９内の１または２以上の開口と流体連通している。この１または２以上の開口は冷却用空気をハウジング内部１３内へ提供する機能を果たして、冷却用空気は前部取入れ空間２３内へ流入しかつハウジング内部１３の前部に沿いまたはラック１４の空気取入れ側２５に沿い垂直上方へ循環する。図１６内に示されているように、一つの実施例において、底部パネル１９内の１または２以上の各開口は空間またはダクト６０に連結され、上記ダクト６０は底部パネル１９から外へ延びかつ従来型の隆起されたフロアー構成６７と連結されている。隆起されたフロアー構成６７は当業界内ではよく知られておりかつそれらの間に導管を画定する第１フロアーおよび第２フロアーを備え、この導管は冷却空気を導管へ供給するための空気冷却ユニットまたはシステムへ連結されている。この導管は冷却ユニットまたはシステムからの冷却空気を受領しかつその冷却空気を１または２以上のダクト６０へ向けて冷却用空気をハウジング内部１３へ供給する。
【００７５】
図１６において、別の実施例では、１または２以上のダクト６０はラックに装
着された空気分配ユニット６５に連結されることができ、これは出願人の同時継続特許出願第１０／１２１，３１３号内に開示されており、これは関連資料として組み込まれる。空気分配ユニット６５はハウジング内部１３内の底部パネル１９に沿い配置されかつ／または連結され、かつ１または２以上のダクト６０を通して隆起フロアー構造６７に連結されて冷却空気を受領および／または吸入する。ユニット６５の多数のファン６６は冷却用空気をダクト６０から前取入れ空間２３内へ引きかつ冷却空気をハウジング内部１３の前部に沿いまたはラック１４の取入れ側２５に沿い上方へ循環させることができて底から頂部への空気流を構成し、これは図１６内の矢印５９により示されている通りである。別の実施例においては、多数のファンはダクト６０に連結されておらず、囲い１０の外側の周辺空気をシステム６５内へ引くように構成されており、これは既に記述されているように、冷却空気として底部から頂部への空気流状態の分配のためである。
【００７６】
図１６内に示されているように、囲い１０は冷却用空気が第１取入れおよび前部取入れ空間２０および２３によりユニット６５から受領されるように構成されており、これは既述されかつ図１６内の矢印５９により示されている通りである。この場合には、底部から頂部への空気流状態は冷却用空気が前部取入れ空間２３を通してＩＴ部品１７の前部に沿い上方へ加圧されおよび／または引かれるものとして画定される。底部から頂部への空気流は前から後への空気流状態および横から横への空気流状態に対して貢献することを助け、これは例えば、前部取入れ空間２３を通して上方へ押されかつ第１取入れ空間２０により受領される冷却用空気の体積を増すことにより行われる。更に、空気分配ユニット６５は底から頂部への空気流を第１および前部取入れ空間２０および２３へ加圧して空間２０および２３が増加された体積およびダクト６０およびユニット６５から空間２０および２３内へ流入する冷却用空気の増加された率により加圧される。
【００７７】
図１７において、一つの実施例では、囲い１０は、上述のように、空気分配ユニット６５を備え、かつ更に１または２以上のダクトユニット７５のラック装着を構成し得る。図１７の展開斜視図内に示されているように、空気分配ユニット６５の多数のファン６６は冷却用空気を吸入しかつ吸入された空気をハウジング内部１３の前部で前部取入れ空間２３内へまたはラック１４の前部取入れ口２５へ引きかつ底部から頂部への空気流状態で上方へ加圧し、これは図１６内の矢印５９により示されている通りである。１または２以上のダクトユニット７５の多数の前部開口７８は空気分配ユニット７５により提供された底部から頂部への空気流のある部分を受領しまたは捕獲し得る。一つの実施例において、１または２以上のダクトユニット７５は、上述のように、室７７内に配置されている１または２以上のファン７３を備えて、囲い内部１３の前部内へ冷却用空気を押し込むことにより空気分配システム６５が創生した底部から頂部への空気流内へ引く。ユニット６５およびダクトユニット７５のファン７３は第１取入れ空間２０内への冷却用空気の体積および／または流れ率の増加を助け、かつそれにより第１取入れ空間２０の加圧を助ける。第１取入れ空間２０は加圧状態の冷却用空気を受領しかつ保持し、これは横から横への空気流部品１８の空気取入れ口１８Ａがそこから冷却ニーズを満たすのに充分な空気の吸入の確保を助ける。
【００７８】
一つの実施例において、１または２以上のダクトユニット７５は更にフード状部材７１を備え、それはダクトユニット７５の前部と連結するように構成されかつ更に前部取入れ空間２３内またはハウジング内部１３内に配置されるように構成されている。フード状部材７１はハウジング内部１３内に配置されかつ底部から頂部への空気流内の上方へ加圧されている冷却用空気のある部分を捕獲するように構成されて、ダクトユニット７５を介して第１取入れ空間２０への充分な冷却用空気の提供を助ける。
【００７９】
他の実施例は添付請求項の範囲および精神内にある。例えば、第１取入れ空間２０はラック１４の右側部上に配置構成され得る。仕切り３２および３４はハウジング１２の右側パネル２８およびラック部材１６の間のスペース４８内に配置されることができ、上記部材１６はラック１４の右側部に沿い前から後へ走っている。
【００８０】
別の例は実施例を備え、そこではハウジング１２の孔付き後部パネル２４は囲い１０の後部に沿い外部に配置されている排出ユニットに連結しかつ排出空気を吸引排出するための１または２以上のファンを有するように構成することができ、これは出願人の同時継続米国出願第１０／３０３，６４１号内に開示されている通りであり、これは関連資料として組み合わされる。一つの実施例において、外側排出ユニットは孔付き後部パネル２４と取り換え可能でありかつハウジング１２の後部ドアーとして機能するように構成され得る。排出ユニットの各ファンは排出ダクトと連結され、この排出ダクトは排出ユニット内部に画定されている。排出ダクトはファンが吸入した空気を受領しかつ排出ダクト内へ排出しかつファンが排出した空気を囲い１０の外側領域内へ排出するために排出ユニットの頂部へ向ける。各ファンは排出空間２３および部品１７および１８の器具孔１７Ａおよび１８Ａと流体連通するように配置されている。各ファンは熱いおよび暖かい排出空気を排出空間２３から排出ユニット内へ吸入し、かつそれから吸入空気を協働するダクト内へ排出する。ファンで排出された空気はその後排出ダクトにより排出のために排出ユニットの頂部へと向けられる。
【００８１】
別の実施例において、記述されたような１または２以上のファンを有する排出ユニットは囲い１０の頂部に配置される。各ファンは空気を排出空間２３から引きかつ引き込まれた空気を囲い１０の外側領域へ排出する。
【００８２】
このように本発明の少なくとも一つの描写用実施例が記述されてきたが、各種の変更、修正および改良が当業者であれば容易に作られるであろう。そのような変更、修正および改良は本発明の範囲および精神の中にあることが意図されている。従って、前の記述は例示のみのためでありかつ制限するものとしては意図されていない。本発明の範囲は以下の請求項およびそれらの均等物のみに限定される。
【図面の簡単な説明】
【００８３】
【図１】本発明による装置囲いの破断斜視図である。
【図２】図１内に示されている囲いの横断頂面図で頂部パネルは除去されている。
【図３】図１内に示されている囲いの前面図で前パネルは除去されている。
【図４Ａ】図１内に示されている囲いの縦断左側面図で左側パネルは除去されている。
【図４Ｂ】図１内に示されている囲いの縦断左側面図で左側パネルは除去されている。
【図５Ａ】図１内に示されている囲いの縦断左側面図で左側パネルは除去されている。
【図５Ｂ】図１内に示されている囲いの縦断右側面図で右側パネルは除去されている。
【図６Ａ】図１内に示されている囲いの前面図で前パネルが除去されて本発明による１または２以上の仕切りの実施例の一つを描写している。
【図６Ｂ】図６Ａ内に示されている装着フレームの縦断側面図である。
【図７Ａ】図１内に示されている囲いの縦断左側面図で左側パネルが除去されて本発明による１または２以上の仕切りの実施例を描写している。
【図７Ｂ】図１内に示されている囲いの縦断左側面図で左側パネルが除去されて本発明による１または２以上の仕切りの実施例を描写している。
【図８Ａ】図１内に示されている囲いの縦断左側面図で多数の出口または孔を有する本発明による仕切りの実施例の一つを備えている。
【図８Ｂ】図８Ａ内に示されている仕切りの一部の破断斜視図である。
【図８Ｃ】図１内に示されている囲いの横断頂面図で頂部パネルが除去されて図８Ａ内に示されている一つの実施例を描写している。
【図９】図１内に示されている囲いの前面図で前ドアーが除去されて本発明による１または２以上の仕切りの別の実施例を描写している。
【図１０Ａ】図１内に示されている囲い内の１または２以上の本発明による仕切りの破断斜視図である。
【図１０Ｂ】図１内に示されている囲い内の１または２以上の本発明による仕切りの破断斜視図である。
【図１１】図１内に示されている囲いの横断頂面図で本発明による空気流の第１モードを描写している。
【図１２】図１内に示されている囲いの横断頂面図で空気流の第１モードの一つの実施例を描写しており、頂部パネルは除去されている。
【図１３】図１内に示されている囲いの横断頂面図で本発明による空気流の第２モードを描写しており、頂部パネルは除去されている。
【図１４Ａ】図１内に示されている囲いの横断頂面図で本発明による空気流の第３モードを描写しており、頂部パネルは除去されている。
【図１４Ｂ】冷却および換気のための横から横への空気流を使用するダクトユニットおよび電子部品の斜視図である。
【図１４Ｃ】横から横への空気流を使用する電子部品に対するダクトユニットの斜視図である。
【図１５Ａ】図１の囲いの横断頂面図で図１４Ａ内に描写されている空気流を許容する囲いの内部の一つの実施例を描写しており、頂部パネルは除去されている。
【図１５Ｂ】図１内の囲いの横断頂面図で図１４Ａ内に描写されている空気流を許容する囲いの内部の別実施を描写しており、頂部パネルは除去されている。
【図１６】図１内に示されている囲いの斜視図で前ドアー、側部パネルおよび頂部パネルは除去されかつそれらの中に装着されている空気分配ユニットは含まれている。
【図１７】図１６内に示されている空気分配システムおよび図１４Ａ−１４Ｃ内に示されているダクトユニットの分解斜視図である。
【図１】
2007502027.tif 000003
【図２】
2007502027.tif 000004
【図３】
2007502027.tif 000005
【図４Ａ】
2007502027.tif 000006
【図４Ｂ】
2007502027.tif 000007
【図５Ａ】
2007502027.tif 000008
【図５Ｂ】
2007502027.tif 000009
【図６Ａ】
2007502027.tif 000010
【図６Ｂ】
2007502027.tif 000011
【図７Ａ】
2007502027.tif 000012
【図７Ｂ】
2007502027.tif 000013
【図８Ａ】
2007502027.tif 000014
【図８Ｂ】
2007502027.tif 000015
【図８Ｃ】
2007502027.tif 000016
【図９】
2007502027.tif 000017
【図１０Ａ】
2007502027.tif 000018
【図１０Ｂ】
2007502027.tif 000019
【図１１】
2007502027.tif 000020
【図１２】
2007502027.tif 000021
【図１３】
2007502027.tif 000022
【図１４Ａ】
2007502027.tif 000023
【図１４Ｂ】
2007502027.tif 000024
【図１４Ｃ】
2007502027.tif 000025
【図１５Ａ】
2007502027.tif 000026
【図１５Ｂ】
2007502027.tif 000027
【図１６】
2007502027.tif 000028
【図１７】
2007502027.tif 000029
【国際調査報告】
2007502027.tif 000030
2007502027.tif 000031
2007502027.tif 000032
2007502027.tif 000033
2007502027.tif 000034
2007502027.tif 000035